(57)【要約】【課題】人体に有益な遠赤外線を放出する遠赤外線サウナボックスを提供する。【解決手段】遠赤外線サウナボックスであって、サウナボックスの壁面に少なくとも一つ以上の赤外線ヒーターを設置した後、その前面に、背もたれ部材として、遠赤外線を放射する鉱物である麦飯石、火山石、ゲルマニウム、電気石及び玉の中で選ばれるいずれか１種をさらに備え、着席部の底面に遠赤外線発熱体を装着し、その上部に、着席部材として、遠赤外線を放射する鉱物である麦飯石、火山石、ゲルマニウム、電気石及び玉の中で選ばれるいずれか１種を取り付けることで、人体の背中部位及び着席した身体部位に人体に有益な遠赤外線が伝達されるようにする。【選択図】図１
2009291621.tif 000002
【特許請求の範囲】
【請求項１】
サウナボックスの壁面に、規格に合わせて適正電気容量を考慮して遠赤外線ヒーターを設置した後、その前面に、背もたれ部材として、遠赤外線を放射する麦飯石、火山石、ゲルマニウム、電気石及び玉の中で選ばれるいずれか１種を取り付け、前記ヒーターの上部が一部露出するようにし、椅子の底には、着席部材として、遠赤外線を放射する麦飯石、火山石、ゲルマニウム、電気石及び玉の中で選ばれるいずれか１種を取り付け、前記着席部材の下部に発熱体を装着したことを特徴とする、遠赤外線サウナボックス。
【発明の詳細な説明】
【技術分野】
【０００１】
本発明は遠赤外線サウナボックスに係り、より詳しくはサウナボックスの壁面に少なくとも一つ以上の赤外線ヒーターを設置した後、その前面に、背もたれ部材として、遠赤外線を放射する鉱物である麦飯石、火山石、ゲルマニウム、電気石及び玉の中で選ばれるいずれか１種をさらに備え、着席部の底面に遠赤外線発熱体を装着し、その上部に、着席部材として、遠赤外線を放射する鉱物である麦飯石、火山石、ゲルマニウム、電気石及び玉の中で選ばれるいずれか１種を取り付けることで、人体の背中部位及び着席した身体部位に人体に有益な遠赤外線が伝達されるようにする遠赤外線サウナボックスに関するものである。
【背景技術】
【０００２】
従来のサウナボックスは、室内の壁面にヒーター装置が多数設置されているため、ヒーターから発生した熱が直接人体の一部または全部に放射されるとともにサウナボックス内の温度を上昇させるようになっていた（特許文献１参照）。
【０００３】
前記ヒーターには、必要によって遠赤外線を放出する成分が塗布されるか内在されているが、ヒーターを多数使用しない限り放射される遠赤外線の量が少なく、その反面、ヒーターをあまり多く設置すれば、電力消費量が増加して非経済的要素となる問題点があった。
【０００４】
また、サウナボックスの内部に設置される椅子はたいてい木材で構成されているので、断熱機能、保温機能などを有するに止まり、これは単純な伝統的サウナボックスの機能に過ぎないという問題点もあった。
【０００５】
したがって、現代人が追い求めるウェルビーイングの趨勢に沿って、より高機能的で、健康に実質的に役立つことができるサウナボックスの開発が要求されている。
【先行技術文献】
【特許文献】
【０００６】
【特許文献１】特開2002-000691号公報
【発明の概要】
【発明が解決しようとする課題】
【０００７】
本発明は前記のような問題点を解決するためになされたもので、本発明の目的は、サウナボックスの壁面に少なくとも一つ以上の赤外線ヒーターを設置した後、その前面に、背もたれ部材として、遠赤外線を放射する鉱物である麦飯石、火山石、ゲルマニウム、電気石及び玉の中で選ばれるいずれか１種をさらに設置することで、人体の背中部位に遠赤外線が伝達されるようにする遠赤外線サウナボックスを提供することにある。
【０００８】
本発明のまた他の目的は、椅子の底面に、発熱体によって発熱する着席部材として、遠赤外線を放射する麦飯石、火山石、ゲルマニウム、電気石及び玉の中で選ばれるいずれか１種を取り付けることで、人体部位に人体に有益な自然的な遠赤外線が放出されるとともに椅子が発熱するようにして、下半身の健康を図ることができる遠赤外線サウナボックスを提供することにある。
【課題を解決するための手段】
【０００９】
前記目的を達成するために、本発明は、サウナボックスの壁面に、規格に合わせて適正電気容量を考慮して遠赤外線ヒーターを設置した後、その前面に、背もたれ部材として、遠赤外線を放射する麦飯石、火山石、ゲルマニウム、電気石及び玉の中で選ばれるいずれか１種を取り付け、前記ヒーターの上部の一部が露出するようにし、椅子の底には、着席部材として、遠赤外線を放射する麦飯石、火山石、ゲルマニウム、電気石及び玉の中で選ばれるいずれか１種を取り付け、前記着席部材の下部に発熱体を装着した遠赤外線サウナボックスを提供する。
【発明の効果】
【００１０】
本発明はサウナボックスの壁面に、規格に合わせて適正電気容量を考慮して遠赤外線ヒーターを設置した後、その前面に、背もたれ部材として、遠赤外線を放射する麦飯石、火山石、ゲルマニウム、電気石及び玉の中で選ばれるいずれか１種を取り付け、前記ヒーターの上部が一部露出するようにし、椅子の底には、着席部材として、遠赤外線を放射する麦飯石、火山石、ゲルマニウム、電気石及び玉の中で選ばれるいずれか１種を取り付け、前記着席部材の下部に発熱体を装着することで、遠赤外線が人体に直接伝達されるようにすることにより、生体リズムの向上と健康の増進による作用効果を期待することができる。
【図面の簡単な説明】
【００１１】
【図１】本発明の一実施例によるサウナボックスの部分断面図である。
【図２】本発明の一実施例によるサウナボックスの部分正面図である。
【発明を実施するための形態】
【００１２】
以下、本発明の好適な実施例を添付図面に基づいて詳細に説明する。
【００１３】
本発明の権利範囲は以下の実施例によって限定されるものではなく、特許請求の範囲によって解釈されなければならない。
【００１４】
本発明は、サウナボックスの壁面１に、図１に示すように、遠赤外線ヒーター２を設置した後、その前面に、背もたれ部材３として、遠赤外線を放射する麦飯石、火山石、ゲルマニウム、電気石及び玉の中で選ばれるいずれか１種を取り付け、ヒーター２の上部が一定部分露出するように背もたれ部材３を設置することにより、ヒーター２から発生する熱が背もたれ部材３を加熱するとともに室内の温度を上昇させる２つの機能を同時に具現するようにする。
【００１５】
そして、サウナボックスの椅子の身体接触部位には、着席部材４として、前記背もたれ部材３と同材質の遠赤外線放射用麦飯石、火山石、ゲルマニウム、電気石及び玉の中で選ばれるいずれか１種を取り付け、前記着席部材４の底面または一側に発熱体５、好ましくは面状発熱体を設置して前記着席部材４が加熱されるようにし、前記発熱体５の下部には、熱が椅子を支持する支持板７に伝達されることを防止するための断熱材６を設置する。
【００１６】
前記のように構成された本発明の実施形態に係るサウナボックスは、遠赤外線ヒーター２から発生する熱が背もたれ部材３を加熱して遠赤外線を放出させ、椅子にも、発熱体５によって温度が上昇する着席部材４を前記背もたれ部材３と同材質で構成して遠赤外線を放出させるとともに人体と着席部材４の接触部位に熱を伝達するようにする。
【産業上の利用可能性】
【００１７】
本発明は、人体に有益な遠赤外線を放出する遠赤外線サウナボックスに適用可能である。
【符号の説明】
【００１８】
１    サウナボックスの壁面
２    遠赤外線ヒーター
３    背もたれ部材
４    着席部材
５    発熱体
６    断熱材
７    支持板
【図１】
2009291621.tif 000003
【図２】
2009291621.tif 000004